(57)【要約】【課題】オフライン機器が持つ情報を簡単な操作で且つ確実にセンタ装置に伝達すること、またはセンタ装置の情報を簡単な操作で且つ確実にオフライン機器に伝達することを可能にする情報伝達方法および装置を提供する。【解決手段】利用者がオフライン機器１の所定の外部接続部に情報伝達装置２を接続すると、オフライン機器１は情報を情報伝達装置２に送信し、情報伝達装置２は受信した情報を記憶する。次に、利用者は情報を記憶した情報伝達装置２をオフライン機器１から外し、利用者が所有する通信端末３の所定の外部接続部に情報伝達装置２を接続すると、情報伝達装置２が通信端末３を制御することで、通信端末３とセンタ装置４とが通信を開始し、通信端末３は情報伝達装置２が記憶している情報をセンタ装置４に送信する。【選択図】　図１
2004064662.tif 000002
【特許請求の範囲】
【請求項１】
オフライン機器および通信端末にそれぞれ着脱自在に接続可能な情報伝達装置を用いて前記オフライン機器が有する情報をセンタ装置へ伝達する情報伝達方法において、
前記情報伝達装置を前記オフライン機器に接続することにより前記情報を該情報伝達装置の内部メモリに記憶し、
その後、該情報伝達装置を前記通信端末に接続し、
前記情報伝達装置は、前記通信端末に接続された状態で該通信端末を制御することにより該情報伝達装置の内部メモリに記憶された情報を前記センタ装置に自動転送する
ことを特徴とする情報伝達方法。
【請求項２】
前記情報伝達装置は、
前記通信端末による前記センタ装置への情報転送のための操作手順情報を記憶し、
該記憶した操作手順情報に基づき前記通信端末を制御することにより前記情報伝達装置の内部メモリに記憶された情報の前記センタ装置への自動転送を制御する
ことを特徴とする請求項１記載の情報伝達方法。
【請求項３】
前記情報伝達装置は、
前記オフライン機器と接続すると、能動的に前記情報を前記情報伝達装置の内部メモリに記憶し、
前記通信端末と接続すると、能動的に該通信端末を制御することにより前記情報を前記センタ装置に自動転送する
ことを特徴とする請求項１記載の情報伝達方法。
【請求項４】
オフライン機器および通信端末にそれぞれ着脱自在に接続可能な情報伝達装置を用いてセンタ装置が有する情報を前記オフライン機器に伝達する情報伝達方法において、
前記情報伝達装置を前記通信端末に接続し、
前記情報伝達装置は、前記通信端末に接続された状態で該通信端末を制御することにより前記センタ装置が有する情報を自動取得し、
該自動取得した情報を前記情報伝達装置の内部メモリに記憶し、
その後、該情報伝達装置を前記オフライン機器に接続し、
前記情報伝達装置は、該情報伝達装置の内部メモリに記憶された情報を前記オフライン機器に転送する
ことを特徴とする情報伝達方法。
【請求項５】
前記情報伝達装置は、
前記通信端末による前記センタ装置からの情報取得のための操作手順情報を記憶し、
該記憶した操作手順情報に基づき前記通信端末を制御することにより前記情報のセンタ装置からの自動取得を制御する
ことを特徴とする請求項４記載の情報伝達方法。
【請求項６】
前記情報伝達装置は、
前記通信端末と接続すると、能動的に該通信端末を制御することにより前記センタ装置から前記情報を自動取得し、該自動取得した情報を前記情報伝達装置の内部メモリに記憶し、
前記オフライン機器と接続すると、能動的に前記情報伝達装置の内部メモリに記憶された情報を該オフライン機器に転送する
ことを特徴とする請求項４記載の情報伝達方法。
【請求項７】
オフライン機器および通信端末にそれぞれ着脱自在に構成され、情報を前記通信端末を介してやり取りする情報伝達装置において、
前記オフライン機器に接続された際に該オフライン機器が有する情報を記憶する内部メモリと、
前記通信端末に接続された際に、該通信端末を制御して、前記内部メモリに記憶された情報を前記センタ装置に自動転送する自動通信制御手段と
を具備することを特徴とする情報伝達装置。
【請求項８】
前記自動通信制御手段は、
前記通信端末に接続された際に、該通信端末を制御して、前記センタ装置が有する情報を自動取得し、
該自動取得した情報を前記情報伝達装置の内部メモリに記憶し、
前記自動通信制御手段で取得した情報は、前記情報伝達装置と前記オフライン機器とが接続された際に、該オフライン機器に転送される
ことを特徴とする請求項７記載の情報伝達装置。
【請求項９】
前記自動通信制御手段は、
前記通信端末による前記センタ装置への情報転送のための第１の操作手順情報と、前記通信端末による前記センタ装置からの情報取得のための第２の操作手順情報とを記憶する記憶手段と、
前記記憶手段に記憶した第１の操作手順情報に基づき前記通信端末を制御することにより前記情報伝達装置の内部メモリに記憶された情報の前記センタ装置への自動転送を制御する第１の制御手段と、
前記記憶手段に記憶した第２の操作手順情報に基づき前記通信端末を制御することにより前記センタ装置が有する情報の該センタ装置からの自動取得を制御する第２の制御手段と
を具備することを特徴とする請求項８記載の情報伝達装置。
【請求項１０】
前記通信端末に、前記自動通信制御手段による自動転送および自動取得の通信履歴を消去する指示を送信する通信履歴消去指示送信手段
を更に具備することを特徴とする請求項７記載の情報伝達装置。
【請求項１１】
前記自動通信制御手段による自動転送若しくは自動取得の通信状況を表示する表示手段
を更に具備することを特徴とする請求項７記載の情報伝達装置。
【発明の詳細な説明】
【０００１】
【発明の属する技術分野】
本発明は、情報伝達方法および装置に関し、特に、オフライン機器および通信端末にそれぞれ着脱自在に接続可能な情報伝達装置を用いて、情報をやり取りする情報伝達方法および装置に関する。
【０００２】
【従来の技術】
一般に、オフラインに設定されたパーソナルコンピュータ等においては、該パーソナルコンピュータの内部情報を他のパーソナルコンピュータ等に伝達する場合、このパーソナルコンピュータに着脱可能とされ、情報信号の書き込み及び読み出しが可能なフラッシュメモリ等の半導体メモリ装置に代表される種々の外部設続装置が利用されている。このような外部設続装置は、静止画、動画、音楽等といった情報を記録することができる。
【０００３】
そして、通信端末が外部接続装置と接続することで、外部接続装置に記録された情報を容易に読み出すことができ、パーソナルコンピュータの内部保存許容量を越える情報を簡便に保存することができる。
【０００４】
更に、インターネット等のネットワークの普及とともに、オンラインに設定可能なパーソナルコンピュータ等においては、インターネット等のネットワークから入手された情報を即座にネットワークに接続されたセンタ装置等に送信することを望むビジネスモデルが増加している。
【０００５】
【発明が解決しようとする課題】
ところで、上記従来の外部接続装置はメモリ装置としての機能しか持たず、例えば、外部接続装置に記録された情報を携帯電話機等の通信端末を介してセンタ装置に送信する場合、外部接続装置を通信端末に接続し、通信端末が外部接続装置に記憶された情報を読み出し、読み出した情報をセンタ装置に送信する一連の作業は、利用者が手動入力により行う必要がある。
【０００６】
そのために、複雑な操作を必要とする場合は、誤入力の発生も考えられ、情報を正確にセンタ装置に送信できない事態が発生する可能性がある。
【０００７】
そこで、本発明は、オフライン機器が持つ情報を簡単な操作で且つ確実にセンタ装置に伝達すること、またはセンタ装置の情報を簡単な操作で且つ確実にオフライン機器に伝達することを可能にする情報伝達方法および装置を提供することを目的とする。
【０００８】
【課題を解決するための手段】
上記目的を達成するため、請求項１の発明は、オフライン機器および通信端末にそれぞれ着脱自在に接続可能な情報伝達装置を用いて前記オフライン機器が有する情報をセンタ装置へ伝達する情報伝達方法において、前記情報伝達装置を前記オフライン機器に接続することにより前記情報を該情報伝達装置の内部メモリに記憶し、その後、該情報伝達装置を前記通信端末に接続し、前記情報伝達装置は、前記通信端末に接続された状態で該通信端末を制御することにより該情報伝達装置の内部メモリに記憶された情報を前記センタ装置に自動転送することを特徴とする。
【０００９】
また、請求項２の発明は、請求項１の発明において、前記情報伝達装置は、前記通信端末による前記センタ装置への情報転送のための操作手順情報を記憶し、該記憶した操作手順情報に基づき前記通信端末を制御することにより前記情報伝達装置の内部メモリに記憶された情報の前記センタ装置への自動転送を制御することを特徴とする。
【００１０】
また、請求項３の発明は、請求項１の発明において、前記情報伝達装置は、前記オフライン機器と接続すると、能動的に前記情報を前記情報伝達装置の内部メモリに記憶し、前記通信端末と接続すると、能動的に該通信端末を制御することにより前記情報を前記センタ装置に自動転送することを特徴とする。
【００１１】
また、請求項４の発明は、オフライン機器および通信端末にそれぞれ着脱自在に接続可能な情報伝達装置を用いてセンタ装置が有する情報を前記オフライン機器に伝達する情報伝達方法において、前記情報伝達装置を前記通信端末に接続し、前記情報伝達装置は、前記通信端末に接続された状態で該通信端末を制御することにより前記センタ装置が有する情報を自動取得し、該自動取得した情報を前記情報伝達装置の内部メモリに記憶し、その後、該情報伝達装置を前記オフライン機器に接続し、前記情報伝達装置は、該情報伝達装置の内部メモリに記憶された情報を前記オフライン機器に転送することを特徴とする。
【００１２】
また、請求項５の発明は、請求項４の発明において、前記情報伝達装置は、前記通信端末による前記センタ装置からの情報取得のための操作手順情報を記憶し、該記憶した操作手順情報に基づき前記通信端末を制御することにより前記情報のセンタ装置からの自動取得を制御することを特徴とする。
【００１３】
また、請求項６の発明は、請求項４の発明において、前記情報伝達装置は、前記通信端末と接続すると、能動的に該通信端末を制御することにより前記センタ装置から前記情報を自動取得し、該自動取得した情報を前記情報伝達装置の内部メモリに記憶し、前記オフライン機器と接続すると、能動的に前記情報伝達装置の内部メモリに記憶された情報を該オフライン機器に転送することを特徴とする。
【００１４】
また、請求項７の発明は、オフライン機器および通信端末にそれぞれ着脱自在に構成され、情報を前記通信端末を介してやり取りする情報伝達装置において、前記オフライン機器に接続された際に該オフライン機器が有する情報を記憶する内部メモリと、前記通信端末に接続された際に、該通信端末を制御して、前記内部メモリに記憶された情報を前記センタ装置に自動転送する自動通信制御手段とを具備することを特徴とする。
【００１５】
また、請求項８の発明は、請求項７の発明において、前記自動通信制御手段は、前記通信端末に接続された際に、該通信端末を制御して、前記センタ装置が有する情報を自動取得し、該自動取得した情報を前記情報伝達装置の内部メモリに記憶し、前記自動通信制御手段で取得した情報は、前記情報伝達装置と前記オフライン機器とが接続された際に、該オフライン機器に転送されることを特徴とする。
【００１６】
また、請求項９の発明は、請求項８の発明において、前記自動通信制御手段は、前記通信端末による前記センタ装置への情報転送のための第１の操作手順情報と、前記通信端末による前記センタ装置からの情報取得のための第２の操作手順情報とを記憶する記憶手段と、前記記憶手段に記憶した第１の操作手順情報に基づき前記通信端末を制御することにより前記情報伝達装置の内部メモリに記憶された情報の前記センタ装置への自動転送を制御する第１の制御手段と、前記記憶手段に記憶した第２の操作手順情報に基づき前記通信端末を制御することにより前記センタ装置が有する情報の該センタ装置からの自動取得を制御する第２の制御手段とを具備することを特徴とする。
【００１７】
また、請求項１０の発明は、請求項７の発明において、前記通信端末に、前記自動通信制御手段による自動転送および自動取得の通信履歴を消去する指示を送信する通信履歴消去指示送信手段を更に具備することを特徴とする。
【００１８】
また、請求項１１の発明は、請求項７の発明において、前記自動通信制御手段による自動転送若しくは自動取得の通信状況を表示する表示手段を更に具備することを特徴とする。
【００１９】
【発明の実施の形態】
以下、本発明に係わる情報伝達方法および装置の実施の形態について添付図面を参照して詳細に説明する。
【００２０】
図１は、本発明に関わる情報伝達方法および装置による情報伝達システムの概略構成の一例を示すブロック図である。
【００２１】
図１に示すように、本発明に関わる情報伝達方法および装置による情報伝達システムはオフライン機器１、情報伝達装置２、通信端末３、センタ装置４から構成されている。
【００２２】
ここで、オフライン機器１は、ネットワーク等に接続していない機器であり、例えば、カメラおよびステレオ等のＡＶ機器、冷蔵庫および洗濯機等の家電機器、自動販売機等の屋外設置機器、更には自動車もこのオフライン機器に含まれる。
【００２３】
また、センタ装置４は、オフライン機器１を管理する端末であり、例えば、オフライン機器１がＡＶ機器の場合は、画像または動画等を保管する端末等であり、オフライン機器１が家電機器の場合は、カスタマーサービスセンターの端末等であり、オフライン機器１が屋外設置機器の場合は、売上を管理する端末等である。
【００２４】
まず、利用者がオフライン機器１の所定の外部接続部（図示せず）に情報伝達装置２を接続すると、オフライン機器１は情報を情報伝達装置２に送信し、情報伝達装置２は受信した情報を記憶する。
【００２５】
なお、上記説明において、オフライン機器１と情報伝達装置２とを物理的に接続して情報を送受する構成を一例にしているが、赤外線等の無線通信を用いて情報を送受する構成を用いても良く、情報を送受する手段については特に限定しない。
【００２６】
次に、利用者は情報を記憶した情報伝達装置２をオフライン機器１から外し、利用者が所有する通信端末３の所定の外部接続部（図示せず）に情報伝達装置２を接続すると、情報伝達装置２が通信端末３を制御することで、通信端末３とセンタ装置４とが通信を開始し、通信端末３は情報伝達装置２が記憶している情報をセンタ装置４に送信する。
【００２７】
なお、上記説明において、情報伝達装置２と通信端末３とを物理的に接続して情報を送受する構成を一例にしているが、赤外線等の無線通信を用いて情報を送受する構成を用いても良く、情報を送受する手段については特に限定しない。
【００２８】
また、以下に記述する構成でも適用可能である。利用者が通信端末３の所定の外部接続部に情報伝達装置２を接続すると、情報伝達装置２が通信端末３を制御することで、通信端末３とセンタ装置４とが通信を開始し、センタ装置４から通信端末３に情報が送信され、情報伝達装置２は通信端末３が受信した情報を記憶する。そして、利用者は情報を記憶した情報伝達装置２を通信端末３から外し、オフライン機器１の所定の外部接続部に情報伝達装置２を接続すると、情報伝達装置２からオフライン機器１に自動的に情報が転送される。
【００２９】
次に、オフライン機器１と情報伝達装置２とを接続することで行われる動作について説明する。
【００３０】
図２は、オフライン機器１および情報伝達装置２の概略構成の一例を示すブロック図である。
【００３１】
ここで、オフライン機器１は、オフライン機器１全体の制御を統括するＣＰＵ（Ｃｅｎｔｒａｌ　Ｐｒｏｃｅｓｓｉｎｇ　Ｕｎｉｔ）である制御部５、情報伝達装置２のインターフェースと接続する外部接続部６、オフライン機器１全体を制御する制御プログラムが格納されているＲＯＭ（Ｒｅａｄ　Ｏｎｌｙ　Ｍｅｍｏｒｙ）であるシステム制御部７、オフライン機器１に関する情報（例えば、ＡＶ機器であれば画像または動画等に関する情報、家電機器であれば使用電力または故障等の情報、屋外設置機器であれば売上またはメンテナンス等の情報）を作成する情報作成部８、情報作成部８で作成した情報を記憶する記憶部９、オフライン機器１の状態または情報伝達装置２との通信状態等を表示する表示部１０から構成される。
【００３２】
また、情報伝達装置２は、情報伝達装置２全体の制御を統括するＣＰＵである制御部１１、オフライン機器の外部接続部６と接続するインターフェース１２、記憶部１３、情報伝達装置２の状態またはオフライン機器１との通信状態等を表示する表示部１４、履歴消去ボタン１５から構成されている。なお、記憶部１３は、オフライン機器１から受信した情報、および情報伝達装置２と通信端末３とが接続する際に、通信端末３がセンタ装置４との通信を開始するための通信端末３の操作手順情報を記憶する。
【００３３】
なお、図２において、オフライン機器の外部接続部６とインターフェース１２とを物理的に接続して情報を送信する構成を一例にしているが、赤外線等の無線通信を用いて情報を送信する構成でも適用可能で、情報を送信する手段については特に限定しない。
【００３４】
また、オフライン機器の表示部１０および情報伝達装置の表示部１４は、ＬＥＤ等を利用して状態を表示する構成でも適用可能である。
【００３５】
また、情報伝達装置２の履歴消去ボタン１５の機能については、後述にて詳細に説明する。
【００３６】
ここで、オフライン機器の記憶部９に記憶された情報を情報伝達装置の記憶部１３に記憶する場合は以下の動作が行われる。オフライン機器の外部接続部６とインターフェース１２とを接続すると、能動的に情報伝達装置２はインターフェース１２を介してオフライン機器の記憶部９に記憶された情報を取得して情報伝達装置の記憶部１３に記憶する。そして、オフライン機器１から情報伝達装置２への情報の送信が終了すると、利用者はオフライン機器の外部接続部６とインターフェース１２との接続を外す。
【００３７】
また、情報伝達装置の記憶部１３に記憶された情報をオフライン機器の記憶部９に記憶する場合は以下の動作が行われる。オフライン機器の外部接続部６とインターフェース１２とを接続すると、能動的に情報伝達装置２はインターフェース１２を介して情報伝達装置の記憶部１３に記憶された情報をオフライン機器１に転送し、オフライン機器１は転送された情報をオフライン機器の記憶部９に記憶する。そして、情報伝達装置２からオフライン機器１への情報の送信が終了すると、利用者はオフライン機器の外部接続部６とインターフェース１２との接続を外す。
【００３８】
次に、情報伝達装置２と通信端末３とを接続することで行われる動作について説明する。
【００３９】
図３は、情報伝達装置２および通信端末３の概略構成の一例を示すブロック図である。
【００４０】
ここで、情報伝達装置２は制御部１１、通信端末の外部接続部１７と接続するインターフェース１２、記憶部１３、表示部１４、履歴消去ボタン１５から構成される。
【００４１】
また、通信端末３は、通信端末２全体の制御を統括するＣＰＵである制御部１６、情報伝達装置２のインターフェース１２と接続する外部接続部１７、通信回線等を介してセンタ装置４との間で情報の送受信を行う通信制御部１８、通信端末３全体を制御する制御プログラムが格納されているＲＯＭであるシステム制御部１９、制御プログラムが使用するワークエリア等が割り当てられているＲＡＭ（Ｒａｎｄｏｍ　Ａｃｃｅｓｓ　Ｍｅｍｏｒｙ）２０、情報伝達装置２との通信状態、センタ装置４との通信状態または情報伝達装置２から受信した情報等を表示する表示部２１、センタ装置４との通信履歴等を記憶する記憶部２２から構成されている。
【００４２】
なお、図３において、通信端末の外部接続部１７とインターフェース１２とを物理的に接続して情報を送信する構成を一例にしているが、赤外線等の無線通信を用いて情報を送信する構成でも適用可能で、情報を送信する手段については特に限定しない。
【００４３】
ここで、利用者が図３に示すようにインターフェース１２と通信端末の外部接続部１７とを接続すると、自動的に情報伝達装置の制御部１１は記憶部１３に記憶している操作手順情報を読み出し、読み出した操作手順情報に基づき、インターフェース１２を介して通信端末の制御部１６を制御することで、通信制御部１８は図示しないセンタ装置４にアクセスし、通信端末３とセンタ装置４とが通信を開始する。
【００４４】
ここで、情報伝達装置の記憶部１３に記憶された情報をセンタ装置４に送信する場合は以下の動作が行われる。通信端末３とセンタ装置４との通信が開始すると、情報伝達装置２は情報伝達装置の記憶部１３に記憶している情報を通信端末３の通信制御部１８を介して情報をセンタ装置４に送信し、通信端末３はセンタ装置４との通信履歴を通信端末の記憶部２２に記憶する。そして、通信端末３からセンタ装置４への情報の送信が終了すると、利用者はインターフェース１２と通信端末の外部接続部１７との接続を外す。
【００４５】
また、センタ装置４の情報を通信端末３が受信する場合は以下の動作が行われる。通信端末３とセンタ装置４との通信が開始すると、通信端末３はセンタ装置４から送信される情報を通信制御部１８で受信し、受信した情報を情報伝達装置の記憶部１３に記憶し、センタ装置４との通信履歴を通信端末の記憶部２２に記憶する。そして、センタ装置４から通信端末３への情報の送信が終了すると、利用者はインターフェース１２と通信端末の外部接続部１７との接続を外す。
【００４６】
また、通信端末３からセンタ装置４への情報の送信が終了した際に、利用者が通信端末の記憶部２２に記憶しているセンタ装置４との通信の履歴を消去することを望む場合、履歴消去ボタン１５を操作等することで、情報伝達装置の制御部１１は通信端末の記憶部２２に記憶されている情報伝達装置２と通信端末３が接続されている際に通信した履歴の消去指示を通信端末の制御部２２に送信する。そして、通信端末の制御部１６は履歴の消去指示を受信すると、情報伝達装置２と通信端末３が接続されている際に通信した履歴を通信端末の記憶部２２から消去する。
【００４７】
次に、本発明に関わる情報伝達システムにおけるオフライン機器１の情報をセンタ装置４に伝達する際の処理手順について図４のフローチャートを参照して説明する。
【００４８】
オフライン機器が情報を生成し（ステップＳ４０１）、情報伝達装置をオフライン機器に接続し（ステップＳ４０２）、オフライン機器が情報を情報伝達装置に送信し（ステップＳ４０３）、情報伝達装置は受信した情報を記憶し（ステップＳ４０４）、オフライン機器から情報伝達装置を外す（ステップＳ４０５）。
【００４９】
そして、情報伝達装置を通信端末に接続すると（ステップＳ４０６）、情報伝達装置は通信端末とセンタ装置との通信を開始させ（ステップＳ４０７）、通信端末は情報伝達装置が記憶している情報をセンタ装置に送信し（ステップＳ４０８）、通信端末はセンタ装置との通信を終了すると（ステップＳ４０９）、通信端末はセンタ装置との通信履歴を記憶する（ステップＳ４１０）。
【００５０】
そして、履歴消去ボタンを操作されることで通信履歴の消去を指示された場合（ステップＳ４１１でＹＥＳ）、通信履歴を消去し（ステップＳ４１２）、通信端末から情報伝達装置を外し（ステップＳ４１３）、処理手順を終了する。
【００５１】
図５は、通信端末３として携帯電話２３等に情報伝達装置２を接続している状態を示す図である。
【００５２】
図５に示すように、情報伝達装置２を携帯電話２３等の外部接続部に接続すると、携帯電話２３等とセンタ装置４との通信が開始し、情報伝達装置２に記憶されている情報がセンタ装置４に送信される。この時、携帯電話２３等の表示部２１に「センタ装置通信中」というメッセージが表示される。なお、通信中に情報伝達装置の表示部１４であるＬＥＤを点滅させ、通信が終了するとＬＥＤを点灯若しくは消灯する構成でも適用可能である。
【００５３】
図６は、通信端末３としてＰＤＡ２４等に情報伝達装置２を接続している状態を示す図である。
【００５４】
図６に示すように、情報伝達装置２をＰＤＡ２４等の外部接続部に接続された外部接続機器に接続すると、通信端末３とセンタ装置４との通信が開始し、情報伝達装置２に記憶されている情報がセンタ装置４に送信される。この時、ＰＤＡ２４等の表示部２１に「センタ装置通信中」というメッセージが表示される。
【００５５】
従って、情報伝達装置２を携帯電話２３またはＰＤＡ２４等のオンライン機器に接続することで、情報伝達装置２に記憶している情報を指定されたセンタ装置４等の管理端末に自動的に送信するため、確実に情報を伝達することが可能になる。
【００５６】
【発明の効果】
以上説明したように本発明によれば、オフライン機器が持つ情報を簡単な操作で且つ確実にセンタ装置に伝達すること、またはセンタ装置の情報を簡単な操作で且つ確実にオフライン機器に伝達することを可能にするという効果を奏する。
【図面の簡単な説明】
【図１】本発明に関わる情報伝達方法および装置による情報伝達システムの概略構成の一例を示すブロック図である。
【図２】オフライン機器１および情報伝達装置２の概略構成の一例を示すブロック図である。
【図３】情報伝達装置２および通信端末３の概略構成の一例を示すブロック図である。
【図４】本発明に関わる情報伝達システムにおけるオフライン機器１の情報をセンタ装置４に伝達する際の処理手順を示すフローチャートである。
【図５】通信端末３として携帯電話２３等に情報伝達装置２を接続している状態を示す図である。
【図６】通信端末３としてＰＤＡ２４等に情報伝達装置２を接続している状態を示す図である。
【符号の説明】
１　　オフライン機器
２　　情報伝達装置
３　　通信端末
４　　センタ装置
５　　オフライン機器の制御部
６　　オフライン機器の外部接続部
７　　オフライン機器のシステム制御部
８　　情報作成部
９　　オフライン機器の記憶部
１０　　オフライン機器の表示部
１１　　情報伝達装置の制御部
１２　　インターフェース
１３　　情報伝達装置の記憶部
１４　　情報伝達装置の表示部
１５　　履歴消去ボタン
１６　　通信端末の制御部
１７　　通信端末の外部接続部
１８　　通信制御部
１９　　通信端末のシステム制御部
２０　　ＲＡＭ
２１　　通信端末の表示部
２２　　通信端末の記憶部
２３　　携帯電話
２４　　ＰＤＡ
【図１】
2004064662.tif 000003
【図２】
2004064662.tif 000004
【図３】
2004064662.tif 000005
【図４】
2004064662.tif 000006
【図５】
2004064662.tif 000007
【図６】
2004064662.tif 000008